(57)【要約】【課題】表示装置において、画面サイズを必要に応じて拡大する。【解決手段】表示装置１０は、伸縮可能な基板３０Ｂに複数の画素をマトリクス配置させ、隣り合う画素間（画素の隙間部分）でのみ基板３０Ｂが伸縮する表示部３０を備え、また、伸長していない基準となる画面サイズの基板３０Ｂを画面横方向Ｘ、画面縦方向Ｙに伸長させて画面サイズを拡大させることが可能な伸長機構４０を備える。そして、３×３の画素から成る画素ブロックＢを、表示画像のイメージ画素として割り当て、画素ブロックＢ単位で表示画像を形成する。【選択図】図３
2019191469.tif 000002
【特許請求の範囲】
【請求項１】
マトリクス状に配列された複数の画素と、
前記複数の画素を支持し、画面に沿って画素間で伸縮可能な基板とを備え、
所定数の画素から成る画素ブロックを表示画像の画素単位とし、表示画像を形成することを特徴とする表示装置。
【請求項２】
画面の縦方向と横方向の画素数が同じ画素ブロックによって、表示画像を形成することを特徴とする請求項１に記載の表示装置。
【請求項３】
前記基板の伸長時の画素ブロックを、伸長前より伸長方向の画素数が少ない画素ブロックで構成することを特徴とする請求項１または２に記載の表示装置。
【請求項４】
前記画像処理部が、画素ブロックの単位で輝度補正を行うことを特徴とする請求項１乃至３のいずれかに記載の表示装置。
【請求項５】
前記画像処理部が、前記基板の伸長時、伸長前よりも輝度を高くすることを特徴とする請求項１乃至４のいずれかに記載の表示装置。
【請求項６】
前記画像処理部が、隣り合う画素ブロックの間で平滑化処理を行うことを特徴とする請求項１乃至５のいずれかに記載の表示装置。
【請求項７】
イメージデータに基づいて、表示画像データを生成する画像処理部をさらに備え、
前記画像処理部が、画素ブロックごとに、対応するイメージデータの画素データを用いた補間処理を行い、表示画像データを生成することを特徴とする請求項１乃至６のいずれかに記載の表示装置。
【請求項８】
前記基板が、所定のアスペクト比に応じたサイズへ伸長可能であり、
前記画像処理部が、そのアスペクト比に応じた画素ブロックに基づいて、表示画像データを生成することを特徴とする請求項７に記載の表示装置。
【請求項９】
前記基板が、複数のアスペクト比に応じたサイズの間で伸縮可能であり、
前記画像処理部が、アスペクト比の切り替えに応じて、画素ブロックを構成する画素を切り替え可能であることを特徴とする請求項７または８に記載の表示装置。
【請求項１０】
前記基板を画面に沿って伸長させることが可能な伸長機構をさらに備え、
前記伸長機構が、画面縦方向および画面横方向のうち少なくとも画面横方向に沿って、前記基板を伸長させることを特徴とする請求項１乃至９のいずれかに記載の表示装置。
【請求項１１】
前記伸長機構が、前記基板を、所定のアスペクト比に応じたサイズで保持することを特徴とする請求項１０に記載の表示装置。
【請求項１２】
前記基板の伸長度合いを検出する基板伸長検出部をさらに備えることを特徴とする請求項１乃至１１のいずれかに記載の表示装置。
【請求項１３】
請求項１乃至１２のいずれかに記載の表示装置を備えたことを特徴とする端末。
【請求項１４】
イメージデータから表示画像データを生成する表示方法であって、
マトリクス状に配列された複数の画素を支持し、画面に沿って画素間で伸縮可能な基板の伸長度合いを検出し、
表示画像の画素単位となる画素ブロックを、前記基板の伸長度合いに応じたアスペクト比に基づいて設定し、
画素ブロックごとに、対応するイメージデータの画素データを用いた補間処理を行うことを特徴とする表示方法。
【請求項１５】
マトリクス状に配列された複数の画素を支持し、画面に沿って画素間で伸縮可能な基板を備えた表示装置と接続可能な端末において、
前記基板の伸び量を検出するステップと、
表示画像の画素単位となる画素ブロックを、伸び量に応じたアスペクト比に基づいて設定するステップと、
画素ブロックを単位として、イメージデータから表示画像を生成するステップとを実行させるプログラムであって、
画素ブロックごとに、対応するイメージデータの画素データを用いた補間処理を行うステップを実行させることを特徴とするプログラム。
【発明の詳細な説明】
【技術分野】
【０００１】
本発明は、パーソナルコンピュータ（以下、ＰＣとする）、携帯端末などに使用される表示装置に関し、特に、画面サイズを変更可能な表示装置に関する。
【背景技術】
【０００２】
表示画面の大きさは、その装置のサイズに制約される。画面サイズを拡大化する方法として、例えば２つのディスプレイあるいは携帯端末を連結して単一画面を構成する方法が知られているが、重量の問題とともに、縁部の存在によってシームレスな画面を構成することができない。
【０００３】
一方、可撓性のあるディスプレイを使用することで、画面サイズを変更することが可能である（特許文献１、２参照）。そこでは、折り畳み可能なディスプレイを折りたたんだ状態で携帯する。そして、必要に応じてディスプレイを引き伸ばし、フルサイズ画面の画像で視聴する。
【先行技術文献】
【特許文献】
【０００４】
【特許文献１】特表２０１３−５０４７８３号公報
【特許文献２】国際公開第２０１４／０８７９５１号
【発明の概要】
【発明が解決しようとする課題】
【０００５】
可撓性ディスプレイのフォルダ構造では、画面のフルサイズは決まっていて、画面サイズを拡大することができない。また、ディスプレイを折りたたんだ状態では、画面の一部領域に画像全体を表示しなければならず、本来のサイズで映像等を視聴することができない。
【０００６】
したがって、表示装置において、画面サイズを必要に応じて拡大できることが求められる。
【課題を解決するための手段】
【０００７】
本発明の一態様である表示装置は、マトリクス状に配列された複数の画素と、複数の画素を支持し、画面に沿って画素間で伸縮可能な基板とを備え、所定数の画素から成る画素ブロックを表示画像の画素単位とし、表示画像を形成する。表示装置は、端末と接続可能である。また、表示装置を組み込んだ端末を構成することも可能である。
【０００８】
本発明の一態様である表示方法は、端末あるいは表示装置において実行することが可能であり、マトリクス状に配列された複数の画素を支持し、画面に沿って画素間で伸縮可能な基板の伸長度合いを検出し、表示画像の画素単位となる画素ブロックを、基板の伸長度合いに応じたアスペクト比に基づいて設定し、画素ブロックごとに、対応するイメージデータの画素データを用いた補間処理を行う。
【０００９】
また、本発明の一態様であるプログラムは、マトリクス状に配列された複数の画素を支持し、画面に沿って画素間で伸縮可能な基板を備えた表示装置と接続可能な端末において、基板の伸び量を検出するステップと、表示画像の画素単位となる画素ブロックを、伸び量に応じたアスペクト比に基づいて設定するステップと、画素ブロックを単位として、イメージデータから表示画像を生成するステップとを実行させるプログラムであって、画素ブロックごとに、対応するイメージデータの画素データを用いた補間処理を行うステップを実行させる。
【発明の効果】
【００１０】
本発明によれば、表示装置において、画面サイズを必要に応じて拡大することができる。
【図面の簡単な説明】
【００１１】
【図１】本実施形態である表示装置の概略的構成図である。
【図２】伸長機構の一部を示した図である。
【図３】図２のラインIII−IIIに沿った断面図である。
【図４】基板が伸長したときの画素の配置状態を示した図である。
【図５】伸長前と伸長後の表示画面を示した図である。
【図６】基板の製造工程を示した図である。
【図７】画像処理ユニットで実行される画像処理を示したフローである。
【図８】アスペクト比を４：３から１６：９に切り替えたときの画面Ｓを示した図である。
【図９】アスペクト比が１６：９から２１：９に変更されたときの画素ブロックの変更を示した図である。
【発明を実施するための形態】
【００１２】
以下では、図面を参照して本発明の実施形態について説明する。
【００１３】
図１は、本実施形態である表示装置の概略的構成図である。
【００１４】
表示装置１０は、画像処理ユニット２０と、伸縮ディスプレイ（以下、表示部という）３０とを備え、端末１００と接続している。端末１００は、ここでは外部のコンピュータ、映像機器などによって構成される。
【００１５】
表示部３０は、画面Ｓを伸縮させるフレキシブルな基板３０Ｂと、基板３０Ｂを伸長させる伸長機構４０とを備える。基板３０Ｂ（画面Ｓ）は、画面横方向Ｘ，縦方向Ｙにそれぞれ伸縮可能である。伸長機構４０は、画面縦方向Ｙに沿って基板３０Ｂを伸長させる一対の伸長機構４２、５２と、画面横方向Ｘに沿って基板３０Ｂを伸長させる一対の伸長機構４４、５４から成る。
【００１６】
伸長機構４０は、画面Ｓを所定の画面アスペクト比（以下、アスペクト比という）にすることができる。すなわち、基板３０Ｂを所定のアスペクト比の画面サイズに伸長した状態で保持することができる。ここでは、基板３０Ｂが伸びていない基準となる画面Ｓのアスペクト比が４：３であり、基板３０Ｂを伸長させることによって、画面Ｓのアスペクト比を１６：９、２１：９に変更することができる。４：３、１６：９、および２１：９は、それぞれ、テレビ画面、ハイビジョンテレビ、ウルトラワイド（ＦＨＤ）の映像規格に対応している。また伸長機構４０は、これ以外のアスペクト比で画面サイズを調整することもできる。
【００１７】
図２は、伸長機構４４の一部を示した図である。図３は、図２のラインIII−IIIに沿った断面図である。図２、３を用いて、伸長機構の構造について説明する。ただし、図２の伸長機構４４は、画面Ｓを裏側から見た図である。
【００１８】
伸長機構４４は、２本のフレーム４４Ａ、４４Ｂから成る２重フレーム構造を採用し、フレーム４４Ａがフレーム４４Ｂに対し相対的にスライド可能になっている。すなわち、フレーム４４Ａはフレーム４４Ｂに対するガイドレールとして機能する。フレーム４４Ｂは、基準となる画面サイズの状態から基板伸長方向にのみスライドする（基準位置から収縮する方向にはスライドしない）。フレーム４４Ｂをフレーム４４Ａから引き出すことによって、基板３０Ｂが画面横方向Ｘに沿って伸びる。伸長機構５４も同様の２重フレーム構造になっている。図３に示すように、フレーム４４Ｂは、両端がフレーム４４Ａの内面と摺動可能に接し、端部に操作部４６が形成されている。
【００１９】
フレーム４４Ａ、４４Ｂには、所定間隔で複数の穴４１Ａ、４１Ｂがそれぞれ形成されている。穴４１Ａ、４１Ｂの位置を重ね合わせ、ネジなどの留め具を挿入してねじ止めすることにより、基板３０Ｂを伸長した状態で保持することができる。複数の穴４１Ａ、４１Ｂの位置は、上記映像規格のアスペクト比、あるいはそれ以外のアスペクト比に合わせて定められている。
【００２０】
フレーム４４Ｂには、発光ダイオードなどの発光素子４５Ｃが設けられており、対向する伸長機構５４に向けて光を放射する。フレーム４４Ｂには、発光素子４５Ｃと対向する位置に穴４４Ｄが形成されている。一方、伸長機構５４のスライド可能なフレームには、光の放射方向に穴が形成され、穴と対向する位置に受光素子が設けられている（いずれも図示せず）。
【００２１】
伸長機構４４、５４それぞれの２つのフレーム同士が完全に重なっている場合、光が検出されない。伸長機構４４のフレーム４４Ａ、および伸長機構５４のスライド可能なフレームがスライドし、他方のフレームと重ならなくなる部分が生じると、発光素子４５Ｃの光が対向する受光素子に到達する。
【００２２】
したがって、伸長機構４４、５４を引き延ばしたとき、光が検出される受光素子の数をカウントことによって、フレームが引き出された距離、すなわち基板３０Ｂの伸長量が検出される。伸長検出部４５（図１参照）は、受光素子からの信号を受信し、画面横方向Ｘに沿った伸長度合いを検出する。伸長機構４２、５２も、伸長機構４４、５４と同様に発光素子、受光素子を設けた２重フレーム構造であり、受光素子からの信号に基づいて、画面縦方向に沿った伸長量を検出する。
【００２３】
伸長機構４２、５２は、それぞれ伸長機構４４、５４の端部を両側から挟み込むように伸長機構４４、５４と連結している。画面Ｓのサイズを伸長させる場合、ユーザは、まず伸長機構４４の操作部４６、伸長機構５４の図示しない操作部を保持し、画面横方向Ｘに沿って伸長機構４４、５４のスライド可能なフレームを引っ張り出す。
【００２４】
伸長機構４２は、その両端部付近でのみ基板３０Ｂの端面と接着し、それ以外の部分はクリップのように基板３０Ｂを挟み込む構造になっている（図２、３では図示せず）。対向位置の伸長機構５２も、同様の構造になっている。一方、伸長機構４４、５４は、基板３０Ｂと接着していない。よって、一方のスライド可能なフレームが引っ張り出されると、それに伴って基板３０Ｂ（画面Ｓ）が画面横方向Ｘに沿って伸びる。このとき、基板３０Ｂは、画面Ｓに沿った面に沿って略均一に伸びていく。画面縦方向Ｙに関して基板Ｂの長さは変化しない。
【００２５】
ユーザは、伸長機構４４、５４のフレーム位置を好みの位置で固定すると、今度は伸長機構４２、５２を画面縦方向Ｙに引き延ばすことができる。伸長機構４４、５４は、基板３０Ｂの端面全体をクリップのように挟み込む構造になっており、弾性部材が設けられている。伸長機構４２、５２による基板３０Ｂの挟み込みを解除する一方、伸長機構４４、５４で基板３０Ｂを挟み込むことにより、基板３０Ｂが略均一に画面Ｓに沿って画面縦方向Ｙに伸びる。
【００２６】
そして、所望する位置で伸長機構４４、５４のフレーム位置を固定し、伸長機構４２、５２によって基板３０Ｂの端部を挟み込む。その結果、伸長前の基準となる画面Ｓを拡大した画面Ｓを構成することができる。一方、フレーム固定、伸長機構４２、５２、伸長機構４４、５４の基板挟み込みを解除することで、基板３０Ｂは収縮し、元の画面Ｓのサイズに戻る。
【００２７】
基板伸長量の検出に関しては、フォトカプラを一定間隔で配置し、重なっている部分でフォトカプラＯＦＦ、重なっていない部分でフォトカプラＯＮとする構成にしてもよい。ＯＮ状態のフォトカプラの数を数えることによって、伸長度合いを測ることができる。あるいは、磁気センサで検出してもよく、あるいは、ギヤで伸長する機構とし、ギヤカウンタで伸長度合いを測定してもよい。
【００２８】
図４は、基板３０Ｂが伸長したときの画素の配置状態を示した図である。
【００２９】
基板３０Ｂ上にマトリクス状に配置された画素Ｐは、基板３０Ｂの伸縮に関係なくサイズが一定であり、基板３０Ｂは、隣り合う画素間でのみ伸縮可能となっている。画素の隙間だけ伸縮するため、互いの画素距離間隔だけが長くなり、間延びしたような画素配置状態となる。
【００３０】
画素ギャップのみを伸長させると、開口率（画素領域の割合）が低下して像が粗くなり、輝度低下が生じてしまう。本実施形態では、所定数の画素から成る画素ブロックＢを規定し、画素ブロックＢの各画素に対して、共通の画素データ（画素情報）を与える。ここでは、画面横方向Ｘ，画面縦方向Ｙにそれぞれ同じ３つの画素が並ぶ３×３の画素ブロックＢを構成する。
【００３１】
画素ブロックＢは、画面Ｓに表示される表示画像を構成する画素（以下、イメージ画素という）ＩＰに相当し、画素ブロックＢの各画素Ｐをそのブロックに応じたイメージ画素の値で駆動することによって、画素ブロックＢを単位とする表示画像が形成される。
【００３２】
図５は、伸長前と伸長後の表示画面Ｓを示した図である。画面Ｓが伸長すると、イメージ画素ＩＰのサイズが増加する。一方、画素ブロックＢを単位とする表示画像の画素数、すなわち画面Ｓの有効画素数は、基板３０Ｂの伸長前と変化していない。
【００３３】
上述したように、９つの画素が同じ画素データによって駆動され、画素ブロックＢ内での各画素の輝度、色は共通する。したがって、基板３０Ｂの伸長によって画素間が間延びしているにもかかわらず、伸長後のイメージ画素ＩＰも、ユーザの視認レベルでは、伸長前のイメージ画素ＩＰと同様に１つのイメージ画素と認識され、画素間の隙間が目立たない。これは、基板３０Ｂの伸長後においても、解像度が低下しない表示画像を視認できることを意味する。
【００３４】
一方、基板３０Ｂを伸長させることによって、画素隙間の影響により輝度が相対的に低くなってしまう。そのため、画像処理ユニット２０は、伸長時の画素ブロックＢの輝度を、伸長前の画素ブロックＢの輝度値よりも高くする補正処理を行う。ただし、画素ブロックＢごとに輝度値を補正する。
【００３５】
また、画素ブロックＢの各画素が共通の画素データであるため、基板３０Ｂを伸長させると、隣接する画素ブロックＢとの間で諧調の変化が目立ってしまう。そのため、画像処理ユニット２０は、隣り合う画素ブロックＢとの間で平滑化処理を行う。
【００３６】
隣接画素の隙間部分だけ伸縮可能な基板３０Ｂは、以下に示す工程によって製造可能である。
【００３７】
図６は、基板３０Ｂの製造工程を示した図である。ベースとなる矩形状の伸縮素材ＢＬに対し、画素を配置する部分以外の領域をマスキング処理し、マスクされていない部分に硬化剤を浸透させる（図６（Ａ）、（Ｂ））。マスクを除去することで、画素隙間部分に該当する伸縮領域と画素部分に該当する硬化領域とが形成される（図６（Ｃ））。
【００３８】
そして、硬化領域に表示用素子を配置し（図６（Ｄ））、伸縮領域に配線し、画素を電気的に接続させる（図６（Ｅ））。表示用素子は、ここではＲ，Ｇ，Ｂの発光が得られる発光素子で構成される。回路基板となる伸縮素材ＢＬ上には、電極、素子駆動部を実装させる。なお、白色光の発光素子を設け、カラーフィルタを素子上に対向配置させる構成にしてもよい。また、Ｒ，Ｇ，Ｂなどの複数のサブピクセルで表示用素子（画素）を構成してもよい。
【００３９】
例えば、基板３０Ｂは、メタアクリロイル基端ウレタンポリマーとアクリル系モノマーとを含有するエネルギー線硬化性組成物の硬化物からなる伸縮性母材中に特定ポリマー材料の難伸長部分を一体的に形成されたシート状伸縮性有機基材として構成することができる。そして、基板３０Ｂに極薄のパリレン薄膜層を形成し、パリレン薄膜層上には、難伸長部分の位置に複数の有機薄膜トランジスタが配置される。有機薄膜トランジスタ間の伸縮性導体部分は、例えばカーボンナノチューブなどによって形成され、有機薄膜トランジスタ間を電気的に接続する。なお、これ以外の素材によって基板３０Ｂを形成することが可能である。
【００４０】
上述したように、ユーザは、画面Ｓのアスペクト比を選択的に変更することができる。画像処理ユニット２０は、伸長検出部４５からの基板伸び量に基づいてアスペクト比を検出し、それに合わせて表示用の画像処理を行う。以下、これについて説明する。
【００４１】
図７は、画像処理ユニット２０で実行される画像処理を示したフローである。画像処理ユニット２０は、端末１００から静止画像データ、動画像データなどのイメージデータを受信し、図示しない内部メモリに一時的に格納される。画像処理ユニット２０は、伸長検出部４５からの基板伸び量のデータを受信するとアスペクト比を検出し、アスペクト比に応じた画素ブロックを設定する（Ｓ１０１、Ｓ１０２）。
【００４２】
図８は、アスペクト比を４：３から１６：９に切り替えたときの画面Ｓを示した図である。この場合、画素ブロックＢを構成する画素の変更はなく、３×３の方形状画素ブロックＢを単位として、表示画像が形成される。
【００４３】
図９は、アスペクト比が１６：９から２１：９に変更されたときの画素ブロックの変更を示した図である。表示部３０の画面Ｓがアスペクト比２１：９まで画面横方向Ｘに伸びると、３×３の画素ブロックＢのままでは、イメージ画素ＩＰの画面横方向幅が広すぎて見た目上の解像度が低下し、画質が低下してしまう。そこで、画面横方向Ｘに関して１つ画素の少ない３×２の画素ブロックＢ’によって、イメージ画素ＩＰを構成する。これにより、画質低下を抑えた表示画像を表示することができる。
【００４４】
画素ブロックＢをアスペクト比に応じて設定すると、表示用の画像処理が実行される（Ｓ１０３）。すなわち、解像度変換、および画素ブロックＢの設定に伴う補間処理が施される。画像処理ユニット２０は、送られてくるイメージデータの解像度（画素数）に基づき、必要に応じて解像度変換処理を行う。例えば、イメージデータの解像度が設定されたアスペクト比の画面Ｓの解像度よりも高い場合、間引き処理が行われ、逆の場合には補間処理が施される。それとともに、上述したイメージ画素を形成するための補間処理が施される。その結果、表示画像のデータが生成される。
【００４５】
基板３０Ｂの伸びに変化があると、伸び量に基づいてアスペクト比が再び検出される。ユーザが表示装置１０を電源ＯＦＦするまで（Ｓ１０５）、ステップＳ１０１〜Ｓ１０４が繰り返し実行される。
【００４６】
このように本実施形態によれば、表示装置１０は、伸縮可能な基板３０Ｂに複数の画素をマトリクス配置させ、隣り合う画素間（画素の隙間部分）でのみ基板３０Ｂが伸縮する表示部３０を備え、また、伸長していない基準となる画面サイズの基板３０Ｂを画面横方向Ｘ、画面縦方向Ｙに伸長させて画面サイズを拡大させることが可能な伸長機構４０を備える。そして、３×３の画素から成る画素ブロックＢを、表示画像のイメージ画素として割り当て、画素ブロックＢ単位で表示画像を形成する。
【００４７】
表示画像を構成する有効画素数は変えずに画面サイズを物理的に変更する構成により、様々な画面サイズに対しても画質の低下しない表示画像を表示することが可能となる。また、画素ブロックＢを方形状の画素配列で構成するため、画面横方向Ｘ、画面縦方向Ｙに伸ばすときに画像処理が煩雑とならない。また、方形状の画素ブロックＢを基準にすることで、画素数増加、画素数減少などによる他の画素ブロックへの変換が容易となる。
【００４８】
表示画像を構成する論理的なイメージ画素を、基板上の複数の画素から構成するとともに、画素の隙間部分を伸縮材とすることにより、発光素子の素材、発光部の構成の自由度が高まり、また、伸縮による表示用素子の劣化を抑えることができる。なお、画素サイズは厳密に変化しないことを求める物ではなく、画素隙間部分に比べて伸長が十分小さい範囲であれば、画素が伸長してもよい。
【００４９】
画素ブロックを構成する画素の切り替えについては、３×３、３×２の画素配列に限定されず、アスペクト比などに応じて設定すればよい。また、方形状、矩形状の画素ブロックに構成しなくてもよく、画面縦横方向に関して六角形、菱形で画素ブロックを構成してもよい。この場合、画面縦横方向に関して同じ割合に伸ばすとき、画像処理が煩雑にならない。
【００５０】
表示部３０の上端、下端にはいわゆる非表示部分となる画素領域（マスク領域）が存在する。基板３０Ｂを画面縦方向Ｙに伸ばす場合、マスク領域の画素を組み合わせて表示画像を表示するようにしてもよい。
【００５１】
基板３０Ｂの伸長機構は、２重のフレーム構造以外でも可能である。また、ユーザの力で引き伸ばす代わりに、アクチュエータを使って自動的に引き伸ばしてもよい。そして、基板３０Ｂを画面横方向Ｘ、画面縦方向Ｙいずれか一方向に伸ばすことも可能である。ただし、映像規格のアスペクト比の変換を考慮すれば、画面横方向Ｘに伸ばす構成にするのが良い。この場合、伸長機構４２、５２は基板３０Ｂ端部と全体的に接触させることが可能となる。伸長機構に基板伸び量を検出するセンサを設ける代わりに、ユーザがアスペクト比を画像処理ユニット２０へ入力するように構成してもよい。
【００５２】
補間処理に関しては、画素ブロックＢに対し、イメージデータの対応する画素データによって各画素を発光させる構成であるが、例えば隣接するイメージ画素データの情報を活用することも可能であり、適宜必要な補間処理を行えばよい。
【００５３】
本実施形態では、画像処理ユニット２０を備えた表示装置１０として構成されているが、端末の画像処理部、あるいは、自身の表示部にこれらの機能を組み込んだ端末（タブレットなど）を構成することも可能である。これによって、携帯時には小画面サイズで持ち運び、映像を視聴するときには画面を拡大することができる。特に、画面横方向Ｘの基板伸長により、映像データの規格に合った画面サイズへ拡大し、映像を視聴することが可能となる。
【００５４】
また、画像処理ユニット２０で基板伸び量の検出（アスペクト比検出）及び解像度変換処理、補間処理を含む表示用画像処理を行う代わりに、表示用画像処理のみ画像処理ユニット２０で行うようにしてもよい。あるいは、表示用画像処理を端末１００で実行させるようにしてもよい。この場合、ユーザによる入力操作などによって基板伸び量を検知すればよい。表示用の画像処理については、ハードウェア、ファームウェア、ソフトウェアいずれによっても可能である。
【符号の説明】
【００５５】
１０  表示装置
２０  画像処理ユニット
３０  表示部
３０Ｂ  基板
４０  伸長機構
４５  伸長検出部
【図１】
2019191469.tif 000003
【図２】
2019191469.tif 000004
【図３】
2019191469.tif 000005
【図４】
2019191469.tif 000006
【図５】
2019191469.tif 000007
【図６】
2019191469.tif 000008
【図７】
2019191469.tif 000009
【図８】
2019191469.tif 000010
【図９】
2019191469.tif 000011